【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
電子文書を作成し編集するシステムにおいて、場所に関係する情報を発見する方法であって、
編集する前記電子文書の指示をユーザから受け取るステップと、
編集に利用可能な個々の電子文書を作成するステップと、
編集した文書に含まれる文字列に関連する編集コマンドを受け取るステップと、
前記文字列が場所に関係するものかどうかを判定するステップと、
前記文字列が場所に関係している場合に、
前記文字列を前記場所に関係する情報を識別するアクションのリストに関連づけるステップと、
前記アクションのリストを表示するコマンドを受信したときに、表示すべき場所に関係のあるテキスト（文字）を前記アクションのリスト内の各アクションに関連づけるステップであって、前記アクションのリスト内のアクションを表す表示すべき前記テキストは前記文字列を伴って変化する、ステップと、
前記アクションのリストを表示するコマンドを受け取ったときに、前記アクションの各アクションと関連づけられた前記場所に関係のあるテキストを表示するステップと
を含むことを特徴とする場所に関係する情報を発見する方法。
【請求項２】
前記文字列が前記場所の名称を特定することを特徴とする請求項１に記載の方法。
【請求項３】
前記場所に関係する情報が、前記場所に関係する電話エリアコードを特定し、前記場所に関係のあるテキストの表示が該電話エリアコードの表示を含むことを特徴とする請求項１に記載の方法。
【請求項４】
前記場所に関係する情報が、前記場所の地図を含み、前記場所に関係のあるテキストの表示が前記場所の地図の表示を含むことを特徴とする請求項１に記載の方法。
【請求項５】
前記場所に関係する情報が、通貨換算結果を含み、前記場所に関係のあるテキストの表示が該通貨換算結果の表示を含むことを特徴とする請求項１に記載の方法。
【請求項６】
前記場所に関係する情報が、追加的場所のリストを含み、該追加的場所が前記場所と地理的関係を有することを特徴とする請求項１に記載の方法。
【請求項７】
前記方法がさらに、
前記追加的場所のリストから特定の追加的場所の選択を受け取るステップと、
前記特定の追加的場所に関係する情報を識別する実行可能な第２のアクションのリストに前記特定の追加的場所の選択を関連づけるステップと、
前記第２のアクションのリストの表示を生成するステップと
を含むことを特徴とする請求項６に記載の方法。
【請求項８】
実行の際に、場所に関係する情報を発見する方法をコンピュータに実行させる、コンピュータ読み取り可能なインストラクタでコード化された、コンピュータ読み取り可能な記録媒体であって、該方法が、
編集する前記電子文書の指示をユーザから受け取るステップと、
編集に利用可能な個々の電子文書を作成するステップと、
編集した文書に含まれる文字列に関連する編集コマンドを受け取るステップと、
前記文字列が場所に関係するものかどうかを判定するステップと、
前記文字列が場所に関係している場合に、前記文字列とをアイテム（項目）のリストに関連づけるステップであって、前記アイテムのリスト内の1または複数のアイテムと関連して表示されたテキスト（文字）は場所と関係する追加情報を表示し、該表示されたテキストは前記文字列を伴って変化する、ステップと
を含むことを特徴とするコンピュータ読み取り可能な記録媒体。
【請求項９】
前記文字列が前記場所の名称を特定することを特徴とする請求項８に記載のコンピュータ読み取り可能な記録媒体。
【請求項１０】
前記付加情報が前記場所に関係する電話エリアコードを含むことを特徴とする請求項８に記載のコンピュータ読み取り可能な記録媒体。
【請求項１１】
前記付加情報が通貨換算結果を含むことを特徴とする請求項８に記載のコンピュータ読み取り可能な記録媒体。
【請求項１２】
前記付加情報が追加的場所のリストを含み、該追加的場所が前記場所と地理的関係を有することを特徴とする請求項８に記載のコンピュータ読み取り可能な記録媒体。
【請求項１３】
電子文書を作成および編集し、かつ場所に関係する情報を発見するシステムにおいて、
電子文書を編集する手段と、
前記編集した文書内の文字列と関連する編集コマンドを受け取る手段と、
前記文字列が場所と関係するかどうかを判定する手段と、
前記文字列を実行可能なアクションのリストに関連づける手段であって、前記アクションのリストが前記場所と関連した情報を特定し、前記文字列をアクションのリストに関連付けることは場所に関連する前記文字列の決定に応じて行われ、前記アクションのリストと関連するテキストは前記文字列に伴って変化する、手段と、
前記アクションのリストから特定のアクションの選択を受け取る手段と、
前記特定のアクションの前記選択に基づいて、前記場所に関連する前記選択された情報の表示を生成する手段と、
を備えたことを特徴とするシステム。
【請求項１４】
前記場所に関係する情報が、前記場所に関係する電話エリアコードを特定し、前記選択された情報の表示が該電話エリアコードの表示を含むことを特徴とする請求項１３に記載のシステム。
【請求項１５】
前記場所に関係する情報が、前記場所の地図を含み、前記選択された情報の表示が前記場所の地図の表示を含むことを特徴とする請求項１３に記載のシステム。
【請求項１６】
前記場所に関係する情報が、通貨換算結果を含み、前記選択された情報の表示が該通貨換算結果の表示を含むことを特徴とする請求項１３に記載のシステム。
【請求項１７】
前記場所に関係する情報が、追加的場所のリストを含み、該追加的場所が前記場所と地理的関係を有することを特徴とする請求項１３に記載のシステム。
【請求項１８】
前記編集コマンドは前記電子文書に前記文字列を加えるコマンドであることを特徴とする請求項１に記載の方法。
【請求項１９】
前記編集コマンドは前記電子文書内の前記文字列を修正するコマンドであることを特徴とする請求項１に記載の方法。
【請求項２０】
前記編集コマンドは前記電子文書に前記文字列を加えるコマンドであることを特徴とする請求項８に記載のコンピュータ読み取り可能な記録媒体。
【請求項２１】
前記編集コマンドは前記電子文書内の前記文字列を修正するコマンドであることを特徴とする請求項８に記載のコンピュータ読み取り可能な記録媒体。
【請求項２２】
編集した文書内の第２の文字列に関連する第２の編集コマンドを受け取るステップと、
前記第２の文字列が第２の場所に関係するものかどうかを判定するステップと、
前記第２の文字列が前期第２の場所に関係している場合に、
前記第２の文字列を実行可能なアクションの第２のリストに関連づけるステップであって、該アクションの第２のリストが前記第２の場所に関連した情報を特定する、ステップと、
前記アクションの第２のリストを表示するコマンドを受信したときに、前記アクションの第２のリスト内の各アクションを表示すべきテキストに関連づけるステップであって、前記アクションの第２のリスト内のアクションを表す表示すべき前記テキストは前記前記第２の文字列を伴って変化し、前記アクションのリスト内のアクションを表す表示されたテキストとは異なる、ステップと、
前記アクションのリストを表示するコマンドを受け取ったときに、前記アクションの第２のリスト内の各アクションと関連づけられた前記テキストを表示するステップと
をさらに含むことを特徴とする請求項1に記載の方法。